(57)【要約】【課題】天候等による湿度上昇時においても湿度が十分換気されたら換気装置の動作が停止して、余分な消費電力の発生を防止する換気装置を提供する。【解決手段】制御手段１０はサンプリング手段１１の出力する湿度変化量が所定の湿度変化閾値より小さく、湿度センサ９の出力する湿度が所定の湿度閾値より小さくなったらファン６を停止することで、湿度が上昇時に浴室内の空気を換気する浴室の換気装置にて、天候等による湿度上昇時においても湿度が十分換気されたら換気装置の動作が停止して、余分な消費電力の発生を防止することができる換気装置を提供する。【選択図】図１
2018105527.tif 000002
【特許請求の範囲】
【請求項１】
浴室の湿度を検出する湿度センサと、
浴室の空気を室外に換気するファンと、
前記湿度センサを介して一定時間毎に浴室の湿度を取得するサンプリング手段と、
前記サンプリング手段が出力する湿度変化量と、
前記サンプリング手段が出力する湿度変化量と、前記湿度センサが出力する湿度によって前記ファンの運転を制御する制御手段とを有し、
前記制御手段は、前記サンプリング手段の出力する湿度変化量が所定の湿度変化閾値より小さく、前記湿度センサの出力する湿度が所定の湿度閾値より小さくなったら前記ファンを停止する換気装置。
【請求項２】
浴室の湿度を検出する湿度センサと、
浴室の空気を室外に換気するファンと、
前記湿度センサを介して一定時間毎に浴室の湿度を取得するサンプリング手段と、
前記サンプリング手段が出力する湿度変化量と、
前記サンプリング手段が出力する湿度変化量と、前記湿度センサが出力する湿度によって前記ファンの運転を制御する制御手段とを有し、
前記制御手段は、前記サンプリング手段の出力する湿度変化量が所定の湿度変化閾値より大きく、前記湿度センサの出力する湿度が所定の湿度閾値より小さくなったら、前記ファンを遅延運転させた後に停止させる換気装置。
【発明の詳細な説明】
【技術分野】
【０００１】
本発明は、浴室の換気装置に関する。
【背景技術】
【０００２】
従来、この種の換気装置は、図６に示すように、換気装置１０１に浴室１０４の湿度を検出する湿度センサ１０２と、浴室１０４の空気を浴室１０４外に排気するファン１０３と、を備えた換気装置が知られている。
【０００３】
前記換気装置は、湿度センサ１０２にて検出される浴室１０４内の湿度により、所定の湿度以上または急な湿度上昇があった場合にファン１０３の運転を開始し、所定の湿度以下となった場合は一定時間の遅延運転をさせた後にファン１０３を停止している（例えば、特許文献１参照）。
【先行技術文献】
【特許文献】
【０００４】
【特許文献１】特開２０１２−２３３６１０号公報
【発明の概要】
【発明が解決しようとする課題】
【０００５】
このような従来の換気装置は、天候等により湿度が上昇した時に湿度が十分に排気されたにも関わらず遅延運転により換気装置の動作が一定時間継続するため余分な消費電力が発生する、という課題があった。
【０００６】
そこで、本発明は、上記課題を解決するものであり、浴室外の湿度上昇時に余分な消費電力の発生を防止することができる換気装置を提供することを目的とする。
【課題を解決するための手段】
【０００７】
そして、この目的を達成するために、本発明に係る換気装置は、浴室の湿度を検出する湿度センサと、浴室の空気を室外に換気するファンと、前記湿度センサを介して一定時間毎に浴室の湿度を取得するサンプリング手段と、前記サンプリング手段が出力する湿度変化量と、前記サンプリング手段が出力する湿度変化量と、前記湿度センサが出力する湿度によって前記ファンの運転を制御する制御手段とを有し、前記制御手段は、前記サンプリング手段の出力する湿度変化量が所定の湿度変化閾値より小さく、前記湿度センサの出力する湿度が所定の湿度閾値より小さくなったら前記ファンを停止するものである。
【０００８】
また、浴室の湿度を検出する湿度センサと、浴室の空気を室外に換気するファンと、前記湿度センサを介して一定時間毎に浴室の湿度を取得するサンプリング手段と、前記サンプリング手段が出力する湿度変化量と、前記サンプリング手段が出力する湿度変化量と、前記湿度センサが出力する湿度によって前記ファンの運転を制御する制御手段とを有し、前記制御手段は、前記サンプリング手段の出力する湿度変化量が所定の湿度変化閾値より大きく、前記湿度センサの出力する湿度が所定の湿度閾値より小さくなったら、前記ファンを遅延運転させた後に停止させるものである。
【０００９】
これにより所期の目的を達成するものである。
【発明の効果】
【００１０】
本発明によれば、湿度変化が小さい場合は天候等による湿度上昇と判断してファンを停止し、また、湿度変化が大きい場合はシャワーを使用したと判断して一定時間ファンを運転することで、湿度が上昇時に浴室内の空気を換気する浴室の換気装置にて、天候またはシャワー等による湿度上昇時において余分な消費電力の発生を防止することができる、効果を奏することができる。
【図面の簡単な説明】
【００１１】
【図１】本発明の実施の形態１に係る換気装置の側面構成模式図
【図２】同換気装置の制御部のブロック図
【図３】同換気装置の動作を示すフローチャート図
【図４】同換気装置の湿度変化とファンの動作との関係を示す図（ａ：通常時、ｂ：シャワー使用時）
【図５】同換気装置の温度変化閾値と温度閾値のとの関係を示す図（ａ：湿度変化閾値と遅延運転時間との関係、ｂ：温度変化と湿度との関係）
【図６】従来の換気装置の側面構成図
【発明を実施するための形態】
【００１２】
本発明に係る換気装置は、浴室の湿度を検出する湿度センサと、浴室の空気を室外に換気するファンと、前記湿度センサを介して一定時間毎に浴室の湿度を取得するサンプリング手段と、前記サンプリング手段が出力する湿度変化量と、前記サンプリング手段が出力する湿度変化量と、前記湿度センサが出力する湿度によって前記ファンの運転を制御する制御手段とを有し、前記制御手段は、前記サンプリング手段の出力する湿度変化量が所定の湿度変化閾値より小さく、前記湿度センサの出力する湿度が所定の湿度閾値より小さくなったら前記ファンを停止することで、浴室内の空気を換気する浴室の換気装置にて、天候等による湿度上昇時においても湿度が所定値より低下したら換気装置の動作が停止して、余分な消費電力の発生を防止することができるという効果を奏する。
【００１３】
また、浴室の湿度を検出する湿度センサと、浴室の空気を室外に換気するファンと、前記湿度センサを介して一定時間毎に浴室の湿度を取得するサンプリング手段と、前記サンプリング手段が出力する湿度変化量と、前記サンプリング手段が出力する湿度変化量と、前記湿度センサが出力する湿度によって前記ファンの運転を制御する制御手段とを有し、前記制御手段は、前記サンプリング手段の出力する湿度変化量が所定の湿度変化閾値より大きく、前記湿度センサの出力する湿度が所定の湿度閾値より小さくなったら、前記ファンを遅延運転させた後に停止させることで、浴室内の空気を換気する浴室の換気装置にて、シャワー等による湿度上昇時においても湿度が所定値より低下したら換気装置の動作が停止して、余分な消費電力の発生を防止することができるという効果を奏する。
【００１４】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、各図面において、本発明に直接には関係しない各部の詳細については説明を省略している。
【００１５】
（実施の形態１）
本発明の実施の形態１に係る換気装置１は、図１に示すように、浴室１４内の天井１５裏に設置される。天井裏に設置した場合について説明する。
【００１６】
図１に換気装置１の構成を示す。換気装置１は、下方に吸込口２を有する。そして、換気装置１の側面は、アダプター３を備えている。そして、アダプター３は、ダクト４を介して排気口５へ接続される。
【００１７】
そして、換気装置１は、内部にファン６を回転させるモータ７を備える。吸込口２の下方には、通気口（図示せず）を有したルーバー８を吸込口２に覆うように備える。浴室１４の空気は、吸込口２を介してファン６に吸い込まれる。吸い込まれた空気は、アダプター３を介してダクト４を通じ屋外１６へ排気する。また、吸込口２の付近には、吸い込まれる空気が接触する位置に湿度センサ９を備える。
【００１８】
また、換気装置１の内部には、制御手段１０を備える。制御手段１０は、図２に示すように一定時間毎に湿度センサ９を介して浴室１４内の湿度を取得するサンプリング手段１１と、比較手段Ａ１２と、比較手段Ｂ１３とを備えている。
【００１９】
図３に示すように、比較手段Ａ１２は、サンプリング手段１１により一定時間毎に取得した湿度変化とあらかじめ記憶した所定の湿度変化閾値を比較する。比較結果が湿度変化閾値より小さい場合は天候等による湿度上昇と判断し、比較結果が湿度変化閾値より大きい場合はシャワー使用による湿度上昇と判断する。ここで、サンプリング手段１１の一定時間としては、湿度変化を検知するためにある程度の時間の間隔として２０〜３０秒程度とし、湿度変化閾値としては、天候等による湿度上昇とシャワー使用時の湿度上昇を区別するための３〜５％程度が良い。
【００２０】
比較手段Ｂ１３は、サンプリング手段１１により一定時間毎に取得した湿度値とあらかじめ記憶した所定の湿度閾値を比較し、湿度の上昇時における比較結果が湿度閾値（例えば８０％ＲＨ、図４）より大きい場合は湿度が高いと判断する。そして、湿度の下降時における比較結果が５％ＲＨヒステリシスをもたせた湿度（例えば７５％ＲＨ、図４）より小さい場合は湿度が低いと判断する。
【００２１】
そして、比較手段Ｂ１３より、湿度が低下したと判断した場合、残留湿気を確実に除去するために遅延運転をしその後にファン６を停止させる。ここで、図５に示すように、遅延運転の時間としては、比較手段Ａ１２より、天候等による湿度上昇と判断した場合は残留湿気がないと想定して０分、シャワー使用による湿度上昇と判断した場合は浴室内の残水による残留湿気があると想定して１２０分程度が良い。
【００２２】
制御手段１０によりファン６を運転および停止する動作について、図４に示す湿度変化とファン動作の関係図を用いて説明する。
【００２３】
図４（ａ）は天候等による湿度上昇時の動作を示しており、まずα点のように、湿度センサ９で検出した湿度が８０％ＲＨ以上になったら、比較手段Ｂ１３にて湿度が高いと判断し、ファン６の運転を開始する。ファン６による浴室１４内の空気の排気により、湿度が徐々に低下し、β点にて、湿度が７５％ＲＨ以下になったら、比較手段Ｂ１３にて湿度が低いと判断して遅延運転へ移行する。その際、遅延運転を開始までに比較手段Ａ１２にて湿度変化が湿度変化閾値３％ＲＨ未満であり、遅延運転は実施せず（０分）ファン６を停止する。これにより、天候等による湿度上昇時においても湿度が十分換気されたら換気装置の動作が停止して、余分な消費電力の発生を防止することができる。
【００２４】
図４（ｂ）はシャワー使用による湿度上昇時の動作を示しており、シャワー使用開始と同時に湿度センサ９で検出する湿度が急上昇する。その際、比較手段Ａ１２にて湿度変化が湿度変化閾値３％ＲＨ以上であり、遅延運転は１２０分が選択される。湿度上昇後α点にて、湿度センサ９で検出した湿度が８０％ＲＨ以上になったら、比較手段Ｂ１３にて湿度が高いと判断し、ファン６の運転を開始する。ファン６による浴室内の空気の換気により、湿度が徐々に低下し、β点にて、湿度が７５％ＲＨ以下になったら、比較手段Ｂにて湿度が低下したと判断し、遅延運転へ移行する。その際、先述した比較手段Ａ１２による結果より、遅延運転を１２０分間実施した後にファン６を停止する。これにより、シャワー使用時に浴室内の残水による残留湿気を十分に換気した後にファン６を停止することができる。
【産業上の利用可能性】
【００２５】
本発明にかかる換気装置は、天候等による湿度上昇時においても湿度が十分換気されたら換気装置の動作が停止して余分な消費電力の発生を防止するものであり、一般住宅などに用いられる浴室の換気装置に有用である。
【符号の説明】
【００２６】
１    換気装置
２    吸込口
３    アダプター
４    ダクト
５    排気口
６    ファン
７    モータ
８    ルーバー
９    湿度センサ
１０    制御手段
１１    サンプリング手段
１２    比較手段Ａ
１３    比較手段Ｂ
１４    浴室
１５    天井
１６    屋外
【図１】
2018105527.tif 000003
【図２】
2018105527.tif 000004
【図３】
2018105527.tif 000005
【図４】
2018105527.tif 000006
【図５】
2018105527.tif 000007
【図６】
2018105527.tif 000008